(57)【要約】【課題】前後方向にコンパクト化できる水洗大便器を提供すること。【解決手段】本発明は、ボウル部を規定する便器本体と、前記便器本体の内部に形成され、前記ボウル部内に洗浄水を導くための導水路と、を備えた水洗大便器であって、前記導水路は、当該導水路に対して給水がなされる給水部を始点として、前記ボウル部の左右の一方側に配置された第１吐水口まで延在する第１導水部と、前記ボウル部の左右の他方側に配置された第２吐水口まで延在する第２導水部と、を有しており、前記給水部は、前記ボウル部に対して左右いずれかに偏った位置に設けられており、前前記給水部への給水は、平面視において、前後方向に対して傾斜して前記給水部の内側面と交わる方向になされることを特徴とする水洗大便器である。【選択図】図２
2020033701.tif 000002
【特許請求の範囲】
【請求項１】
ボウル部を規定する便器本体と、
前記便器本体の内部に形成され、前記ボウル部内に洗浄水を導くための導水路と、
を備えた水洗大便器であって、
前記導水路は、当該導水路に対して給水がなされる給水部を始点として、前記ボウル部の左右の一方側に配置された第１吐水口まで延在する第１導水部と、前記ボウル部の左右の他方側に配置された第２吐水口まで延在する第２導水部と、を有しており、
前記給水部は、前記ボウル部に対して左右いずれかに偏った位置に設けられており、
前記給水部への給水は、平面視において、前後方向に対して傾斜して前記給水部の内側面と交わる方向になされる
ことを特徴とする水洗大便器。
【請求項２】
前記給水部への給水は、前記給水部の内側面の接線方向に対して略直交する方向になされる
ことを特徴とする請求項１に記載の水洗大便器。
【請求項３】
前記給水部への給水は、平面視において前後方向に対して傾斜して前記給水部の内側面と交わる方向に延びる直線ノズルによってなされ、
前記直線ノズルには、給水管が接続されており、
前記給水管は、前後方向に延びる基端部と、前記直線ノズルに接続され当該直線ノズルと同一方向に延びる先端部と、前記基端部から前記先端部まで屈曲する屈曲部と、を有している
ことを特徴とする請求項１または２に記載の水洗大便器。
【請求項４】
前記給水部への給水は、前後方向に延びる基端部と、平面視において前後方向に対して傾斜して前記給水部の内側面と交わる方向に延びる先端部と、前記基端部から前記先端部まで屈曲する屈曲部と、を有する屈曲ノズルによってなされ、
前記屈曲ノズルには、前後方向に延びる給水管が接続されている
ことを特徴とする請求項１または２に記載の水洗大便器。
【請求項５】
前記給水部への給水は、平面視において前後方向に対して傾斜して前記給水部の内側面と交わる方向に延びる給水路によってなされ、
前記給水路には、洗浄水が一時的に滞留可能なバッファ室を介して、給水管が接続されている
ことを特徴とする請求項１または２に記載の水洗大便器。
【請求項６】
前記バッファ室は、前記給水管から当該バッファ室内への洗浄水の給水方向に対向する位置に形成された壁を有する
ことを特徴とする請求項５に記載の水洗大便器。
【請求項７】
前記バッファ室の底面は、前記給水部に向けて傾斜している
ことを特徴とする請求項５または６に記載の水洗大便器。
【発明の詳細な説明】
【技術分野】
【０００１】
本発明は、水洗大便器に係り、特に、洗浄水により便器を洗浄する水洗大便器に関する。
【背景技術】
【０００２】
従来から、例えば特許文献１に記載されているように、ボウル部と、リム部に沿って洗浄水を吐水するリム吐水口部と、を備え、リム吐水口部からリム部に沿って吐水される洗浄水がボウル部を旋回流で洗浄する水洗大便器が知られている。
【０００３】
更に詳しくは、特許文献１において、リム吐水口部に（ボウル部内に）洗浄水を導くための導水路は、当該導水路に対して給水がなされる給水部（分岐部）を始点として、ボウル部の左右の一方側へと延在する第１導水部と、ボウル部の左右の他方側へと延在する第２導水部と、を有している。そして、当該給水部は、ボウル部に対して左右中央の位置に設けられている。
【先行技術文献】
【特許文献】
【０００４】
【特許文献１】特許第６３３２６０６号公報
【発明の概要】
【発明が解決しようとする課題】
【０００５】
近年、デザイン性を更に向上させるため、水洗大便器のより一層のコンパクト化が検討されている。例えば、前後方向のコンパクト化を図り、いわゆる「前出」の小さな水洗大便器を実現することが検討されている。
【０００６】
従来においては、特許文献１に示されているように、給水部（分岐部）はボウル部に対して左右中央の位置に設けられていた。本件発明者は、当該給水部（分岐部）をボウル部に対して左右いずれかの偏った位置にずらすことによって、前後方向のコンパクト化を図ることを検討してきた。
【０００７】
本発明は、以上のような背景の下になされたものである。本発明の目的は、前後方向にコンパクト化できる水洗大便器を提供することである。
【課題を解決するための手段】
【０００８】
本発明は、ボウル部を規定する便器本体と、前記便器本体の内部に形成され、前記ボウル部内に洗浄水を導くための導水路と、を備えた水洗大便器であって、前記導水路は、当該導水路に対して給水がなされる給水部を始点として、前記ボウル部の左右の一方側に配置された第１吐水口まで延在する第１導水部と、前記ボウル部の左右の他方側に配置された第２吐水口まで延在する第２導水部と、を有しており、前記給水部は、前記ボウル部に対して左右いずれかに偏った位置に設けられており、前記給水部への給水は、平面視において、前後方向に対して傾斜して前記給水部の内側面と交わる方向になされることを特徴とする水洗大便器である。
【０００９】
本発明によれば、給水部がボウル部に対して左右いずれかに偏った位置に設けられているため、水洗大便器を前後方向にコンパクト化することができる。
【００１０】
なお、本発明において、給水部への給水の角度を調整することによって、第１導水部への導水量（すなわち第１吐水口からの吐水量）と第２導水部への導水量（すなわち第２吐水口からの吐水量）との比率（分配比率）を所望の値に調整することもできる。
【００１１】
前記給水部への給水は、前記給水部の内側面の接線方向に対して略直交する方向になされることが好ましい。略直交とは、本明細書においては、７５°〜１０５°程度を意味する。
【００１２】
具体的な構成について、好適な一例においては、前記給水部への給水は、平面視において前後方向に対して傾斜して前記給水部の内側面と交わる方向に延びる直線ノズルによってなされ、前記直線ノズルには、給水管が接続されており、前記給水管は、前後方向に延びる基端部と、前記直線ノズルに接続され当該直線ノズルと同一方向に延びる先端部と、前記基端部から前記先端部まで屈曲する屈曲部と、を有している。
【００１３】
このような例では、ノズルの取り付け作業が容易であり、また、ノズル設置場所のスペースについてもコンパクト化が図れる。
【００１４】
あるいは、別の好適な一例においては、前記給水部への給水は、前後方向に延びる基端部と、平面視において前後方向に対して傾斜して前記給水部の内側面と交わる方向に延びる先端部と、前記基端部から前記先端部まで屈曲する屈曲部と、を有する屈曲ノズルによってなされ、前記屈曲ノズルには、前後方向に延びる給水管が接続されている。
【００１５】
このような例でも、ノズルの取り付け作業が容易であり、また、ノズル設置場所のスペースについてもコンパクト化が図れる。
【００１６】
あるいは、更に別の好適な一例においては、前記給水部への給水は、平面視において前後方向に対して傾斜して前記給水部の内側面と交わる方向に延びる給水路によってなされ、前記給水路には、洗浄水が一時的に滞留可能なバッファ室を介して、給水管が接続されている。
【００１７】
このような例では、バッファ室において洗浄水が一時的に滞留可能であることにより、給水管からバッファ室までの給水方向による影響を低減させることができ、給水部までより高精度に給水路の方向に沿って給水することができる。
【００１８】
この場合、更に好ましくは、前記バッファ室は、前記給水管から当該バッファ室内への洗浄水の給水方向に対向する位置に形成された壁を有する。
【００１９】
これによれば、給水管からバッファ室までの給水方向による影響をより一層低減させることができ、給水部まで更に高精度に給水路の方向に沿って給水することができる。
【００２０】
なお、前記バッファ室の底面は、前記給水部に向けて傾斜していることが好ましい。
【００２１】
これによれば、バッファ室内に残水が滞留することが抑制できる。
【発明の効果】
【００２２】
本発明によれば、給水部がボウル部に対して左右いずれかに偏った位置に設けられているため、水洗大便器を前後方向にコンパクト化することができる。
【図面の簡単な説明】
【００２３】
【図１】本発明の第１実施形態による水洗大便器を示す側面断面図である。
【図２】本発明の第１実施形態による水洗大便器の便器本体の平面図である。
【図３】図１のＩＩＩ−ＩＩＩ線に沿って見た断面図である。
【図４】本発明の第２実施形態による水洗大便器の便器本体の平面図である。
【図５】本発明の第３実施形態による水洗大便器の便器本体の平面図である。
【図６】本発明の第４実施形態による水洗大便器の便器本体の平面図である。
【発明を実施するための形態】
【００２４】
以下、添付図面を参照して本発明の第１実施形態による水洗大便器について説明する。図１は、本発明の第１実施形態による水洗大便器を示す側面断面図であり、図２は、本発明の第１実施形態による水洗大便器の便器本体の平面図であり、図３は、図２のＩＩＩ−ＩＩＩ線に沿って見た断面図である。
【００２５】
以下の説明において、便器本体２を前方から見た時の右側を「右側」とし、便器本体２を前方から見た時の左側を「左側」としている。
【００２６】
図１乃至図３に示すように、本発明の第１実施形態による水洗大便器１は、陶器等からなる便器本体２を有する。便器本体２の後方側の上方には、洗浄水源である貯水タンク４が設置されている。貯水タンク４は、上水道等の給水源（図示せず）に接続されている。
【００２７】
貯水タンク４に設けられた操作レバー（図示せず）を操作することにより、洗浄操作が開始されるようになっている。具体的には、操作レバーの操作によって貯水タンク４の排水弁（図示せず）が開き、貯水タンク４から所定の洗浄水量（例えば、６リットル）が、便器本体２の後方側に設けられた供給口（図示せず）に供給されるようになっている。
【００２８】
本実施形態の水洗大便器１は、貯水タンク４から供給される洗浄水量が３リットル乃至６リットルの範囲である節水タイプの水洗大便器、好ましくは４．８リットル乃至６リットルの範囲である節水タイプの水洗大便器、に使用することができる。
【００２９】
貯水タンク４に代えて、規定の洗浄水量を供給できるフラッシュバルブ等の他の給水装置が利用されてもよい。
【００３０】
便器本体２の前方上部には、ボウル部８が形成されている。ボウル部８の下方には、溜水部１２が形成され、所定量の溜水が貯留されている。初期水位の溜水面が、Ｗ０で示されている。溜水部１２の下端には、排水トラップ管路１４の入口１４ａが接続されており、排水トラップ管路１４は、その入口１４ａから後方へと延び、その後端１４ｂが床面に設置された排出管（図示せず）に接続されている。
【００３１】
便器本体２の内部には、当該便器本体２の後方側に設けられた前記供給口から導入される洗浄水をボウル部８内に導くための導水路６０が設けられている。
【００３２】
導水路６０は、当該導水路６０に対して給水がなされる給水部７０を始点として、ボウル部８の左側（左右の一方側）に配置された第１吐水口３８まで延在する第１導水部６１と、ボウル部８の右側（左右の他方側）に配置された第２吐水口４０まで延在する第２導水部６２と、を有している。そして、本実施形態の特徴の１つとして、給水部７０が、ボウル部８に対して左側（左右いずれか）に偏った位置に設けられている。
【００３３】
図２に示すように、第１導水部３８と第２導水部４０とは、平面視において、それぞれ、給水部７０の内側面（及びボウル部８の外周面の外側）に沿うように延在している。そして、給水部７０の給水は、平面視において、前後方向に対して傾斜して給水部７０の内側面（及びボウル部８の外周面）と交わる方向になされるようになっている。特に、本実施形態における給水部７０への給水は、給水部７０の内側面の接線方向に対して略直交する方向になされるようになっている。
【００３４】
第１導水部６１は、給水部７０から概ね便器本体２の前方側へと延びるように形成されている。第２導水部６２は、給水部７０から概ね便器本体２の右側へと延びた後、折り返されて、第２吐水口４０に至るように形成されている。
【００３５】
また、本実施形態では、図２に示すように、第１導水部６１と第２導水部６２とは滑らかに連続しており、第１導水部６１の給水部７０における接線方向と第２導水部６２の前記給水部における接線方向とが略同一方向となっている。そして、給水部７０への給水は、両接線方向に対しても略直交する方向になされるようになっている。
【００３６】
そして、本実施形態では、給水部７０への給水は、平面視において前後方向に対して傾斜して給水部７０の内側面（及びボウル部８の外周面）と交わる方向に延びる直線ノズル７１によってなされるようになっている。直線ノズル７１には、給水管７２が接続されており、当該給水管７２は、前後方向に延びる基端部７２ａと、直線ノズル７１に接続され当該直線ノズル７１と同一方向に延びる先端部７２ｃと、基端部７１ａから先端部７１ｃまで屈曲する屈曲部７２ｂと、を有している。
【００３７】
ボウル部８は、ボウル形状に形成されている汚物受け面１６と、その上縁部に形成されて汚物受け面１６に洗浄水を吐水するリム部１８と、を有している。
【００３８】
より詳細には、リム部１８は、ボウル部８の上縁部の略全周に形成されていて、ボウル部８内の各領域にバランス良く洗浄水を導くことができるようになっている。リム部１８は、汚物受け面１６の上方に位置し、その内壁面であるリム通水路外側壁面３４の上部が内側に向って張り出すように形成されている。また、リム部１８は、リム部１８のリム通水路底面２４が内方に向って水平方向に延びるように形成されている。これにより、リム通水路底面２４上にリム通水路２０が形成されている。
【００３９】
リム通水路底面２４は、ボウル部８のほぼ全周に亘って略平坦な棚状に略水平に形成されている。このような構成により、リム通水路２０においてリム通水路底面２４上を流れる洗浄水が、ボウル部８の上部を一周するような流れを形成することができる。
【００４０】
また、本実施形態では、第１導水部６１とリム通水路２０とが接続される領域において、第１導水部６１の外側壁面６１ｃと、リム部１８のリム通水路外側壁面３４とが、ほぼ平坦に連続して形成されている。これにより、洗浄水が、第１導水部６１の外側壁面６１ｃからリム部１８のリム通水路外側壁面３４へと滑らかに流れることができる。
【００４１】
同様に、第２導水部６２とリム通水路２０とが接続される領域においては、第２導水部６２の外側壁面６２ｃと、リム部１８のリム通水路外側壁面３４とが、ほぼ平坦に連続して形成されている。これにより、洗浄水が、第２導水部６２の外側壁面６２ｃからリム部１８のリム通水路外側壁面３４へと滑らかに流れることができる。
【００４２】
本実施形態では、第１吐水口３８近傍において、第１導水部６１の中心軸線Ａ４の向きと、ボウル部８の左側領域においてリム通水路２０上を周回しようとする洗浄水の流線Ａ５の向きとが、ほぼ一致するようになっている。これにより、第１吐水口３８から流出する洗浄水が、リム通水路２０上をほぼ同じ旋回方向に向かって流れ、水の勢いを保った状態（流量及び流速をほぼ維持した状態）でリム通水路２０上を周回することができる。
【００４３】
また、本実施形態では、第２吐水口４０近傍においても、第２導水部６２の中心軸線Ａ６の向きと、ボウル部８の右側後方領域においてリム通水路２０上を周回しようとする洗浄水の流線Ａ７の向きとが、ほぼ一致するようになっている。これにより、第２吐水口４０から流出する洗浄水が、リム通水路２０上をほぼ同じ旋回方向に向かって流れ、水の勢いを保った状態（流量及び流速をほぼ維持した状態）でリム通水路２０上を周回することができる。
【００４４】
次に、本実施形態による水洗大便器の作用（動作）を説明する。
【００４５】
便器洗浄のため洗浄操作パネル（図示せず）の操作ボタン（図示せず）が操作されると、貯水タンク４に設けられた排水弁（図示せず）が開き、貯水タンク４から所定の洗浄水量（例えば、６．０リットル）が便器本体２の後方側の供給口（不図示）から便器本体２内へと供給され、給水管７２及び直線ノズル７１を介して給水部７０へと供給される。
【００４６】
そして、給水部７０から導水路６０へと給水された洗浄水は、第１導水部６１と第２導水部６２とに分岐されて更に導水される。
【００４７】
第１導水部６１を経て第１吐水口３８から吐水される洗浄水は、流線Ａ５に沿ってリム通水路２０上を流れてボウル部８の上部を旋回し、旋回しながらリム通水路底面２４から汚物受け面１６に下降して、ボウル部８を洗浄する。
【００４８】
第２導水部６２を経て第２吐水口４０から吐水される洗浄水は、流線Ａ７に沿ってリム通水路２０上を流れてボウル部８の上部を旋回し、旋回しながらリム通水路底面２４から汚物受け面１６に下降して、ボウル部８を洗浄する。
【００４９】
ボウル部８を洗浄しながら下降した洗浄水は、汚物とともに排水トラップ管路１４から排出されて、便器本体２の一連の洗浄動作が終了する。
【００５０】
以上のような本実施形態の水洗大便器１によれば、給水部７０がボウル部８に対して左側（左右いずれか）に偏った位置に設けられているため、水洗大便器１を前後方向にコンパクト化することができる。
【００５１】
また、本実施形態の水洗大便器１によれば、第１導水部６１と第２導水部６２とが滑らかに連続しており、第１導水部６１の給水部７０における接線方向と第２導水部６２の給水部７０における接線方向とが略同一方向であり、給水部７０への給水は両接線方向に対して略直交する方向になされる。これにより、洗浄水を適切な比率で第１導水部６１と第２導水部６２とに分配することができ、各洗浄水の水勢（流量及び流速）も十分に維持できる。
【００５２】
また、本実施形態の水洗大便器１によれば、給水部７０への給水は、平面視において前後方向に対して傾斜して給水部７０の内側面（及びボウル部８の外周面）と交わる方向に延びる直線ノズル７１によってなされ、直線ノズル７１には給水管７２が接続されており、当該給水管７２は、前後方向に延びる基端部７２ａと、直線ノズル７１に接続され当該直線ノズル７１と同一方向に延びる先端部７２ｃと、基端部７１ａから先端部７１ｃまで屈曲する屈曲部７２ｂと、を有している。これによれば、直線ノズル７１の取り付け作業が容易であり、また、ノズル設置場所のスペースについてもコンパクト化が図れる。
【００５３】
なお、本実施形態の水洗大便器１において、給水部７０への給水の角度を調整することによって、第１導水部６１への導水量（すなわち第１吐水口３８からの吐水量）と第２導水部６２への導水量（すなわち第２吐水口４０からの吐水量）との比率（分配比率）を所望の値に調整することもできる。この調整も、給水部７０に対する直線ノズル７１の設置角度を変更することにより、比較的容易に実施することができる。
【００５４】
次に、図４は、本発明の第２実施形態による水洗大便器の便器本体の平面図である。本実施形態では、直線ノズル７１及び屈曲給水管７２の代わりに、屈曲ノズル８１及び直線給水管８２が用いられている。
【００５５】
具体的には、本実施形態では、給水部７０への給水は、前後方向に延びる基端部８１ａと、平面視において前後方向に対して傾斜して給水部７０の内側面（及びボウル部８の外周面）と交わる方向に延びる先端部８１ｃと、基端部８１ａから先端部８１ｃまで屈曲する屈曲部８１ｂと、を有する屈曲ノズル８１によってなされ、当該屈曲ノズル８２には、前後方向に延びる直線給水管８２が接続されている。
【００５６】
また、屈曲ノズル８１の設置作業を容易にするべく、給水部７０近傍の導水路６０が拡張されている。
【００５７】
本実施形態のその他の構成については、図１乃至図３を用いて説明した第１実施形態と略同様である。図４において、第１実施形態と同様の部分については、同様の符号を付している。また、本実施形態の第１実施形態と同様の部分については、詳しい説明を省略する。
【００５８】
本実施形態においても、屈曲ノズル８１の取り付け作業が容易であり、また、ノズル設置場所のスペースについてもコンパクト化が図れる。
【００５９】
次に、図５は、本発明の第３実施形態による水洗大便器の便器本体の平面図である。本実施形態では、内部に屈曲した流路が形成された部材（前記の給水管７２や屈曲ノズル８１等）を用いる代わりに、洗浄水が一時的に滞留可能なバッファ室を利用して、給水部７０への給水方向の整流を実現する。
【００６０】
具体的には、本実施形態では、給水部７０への給水は、平面視において前後方向に対して傾斜して給水部７０の内側面（ボウル部８の外周面）と交わる方向に延びる給水路９１によってなされ、当該給水路９１に、洗浄水が一時的に滞留可能なバッファ室９２を介して、直線給水管９３が接続されている。
【００６１】
図５の例では、給水管９３からバッファ室９２内への洗浄水の給水方向に、給水路９１の入口が設けられている。
【００６２】
本実施形態のその他の構成については、図１乃至図３を用いて説明した第１実施形態と略同様である。図５において、第１実施形態と同様の部分については、同様の符号を付している。また、本実施形態の第１実施形態と同様の部分については、詳しい説明を省略する。
【００６３】
本実施形態によれば、バッファ室９２において洗浄水が一時的に滞留可能であることにより、給水管９３からバッファ室９２までの給水方向による影響を低減させることができ、給水部７０までより高精度に給水路９１の方向に沿って給水することができる。
【００６４】
ここで、給水管９３からバッファ室９２内への洗浄水の給水方向に対向する位置に、当該洗浄水の給水速度を減速させる壁が設けられていることが更に好ましい。このような例を、本発明の第４実施形態として、図６に示す。図６は、本発明の第４実施形態による水洗大便器の便器本体の平面図である。
【００６５】
本実施形態によれば、給水管９３からバッファ室９２内への洗浄水の給水方向に対向する位置に当該洗浄水の給水速度を減速させる壁９４が設けられていることにより、給水管９３からバッファ室９２までの給水方向による影響をより一層低減させることができ、給水部７０まで更に高精度に給水路９１の方向に沿って給水することができる。バッファ室９２の壁９４の内壁面は、給水管９３からバッファ室９２内への洗浄水の給水方向に略垂直であることが好ましい。
【００６６】
なお、第３実施形態及び第４実施形態の水洗大便器において、バッファ室９２の底面は給水部７０に向けて傾斜していることが好ましい。これによれば、バッファ室９２内に残水が滞留することを抑制できる。
【符号の説明】
【００６７】
１            水洗大便器
２            便器本体
４            貯水タンク
８            ボウル部
１２          溜水部
１４          排水トラップ管路
１４ａ        入口
１４ｂ        後端
１６          汚物受け面
１８          リム部
２０          リム通水路
２４          リム通水路底面
３４          リム通水路外側壁面
３８          第１吐水口
４０          第２吐水口
６０          導水路
６１          第１導水部
６１ｃ        外側壁面
６２          第２導水部
６２ｃ        外側壁面
７０          給水部
７１          直線ノズル
７２          給水管
７２ａ        基端部
７２ｂ        屈曲部
７２ｃ        先端部
８１          屈曲ノズル
８１ａ        基端部
８１ｂ        屈曲部
８１ｃ        先端部
８２          給水管
９１          給水路
９２          バッファ室
９３          給水管
９４          壁
Ａ４          中心軸線
Ａ５          流線
Ａ６          中心軸線
Ａ７          流線
【図１】
2020033701.tif 000003
【図２】
2020033701.tif 000004
【図３】
2020033701.tif 000005
【図４】
2020033701.tif 000006
【図５】
2020033701.tif 000007
【図６】
2020033701.tif 000008